(57)【要約】【課題】ユーザーに対し、店舗までの移動に要する運動量も考慮した適切な飲食情報を提供すること。【解決手段】管理サーバー５が、各ユーザーの運動情報を記憶した顧客データベース６１と、各店舗の位置を記憶した位置データベース６２と、各店舗で提供可能な飲食メニューを記憶したメニューデータベース６３と、を参照する参照部５４と、飲食情報要求と共に、ユーザーのユーザー識別情報および位置情報を取得する取得部５２と、飲食情報要求を取得したとき、取得したユーザー識別情報に基づいて顧客データベース６１から得られる運動情報と、取得した位置情報に基づいて位置データベース６２から得られる各店舗までの距離に応じた運動量と、を考慮し、メニューデータベース６３から飲食メニューを抽出する抽出部５５と、抽出した飲食メニューとこれを提供する店舗と、を示す飲食情報を出力する出力部５６と、を備えた。【選択図】図３
2016143383.tif 000002
【特許請求の範囲】
【請求項１】
各ユーザーの運動量を示す運動情報をユーザー識別情報と関連付けて記憶した顧客データベースと、各店舗で提供可能な飲食メニューを記憶したメニューデータベースと、各店舗の位置を記憶した位置データベースと、を参照する参照部と、
飲食情報要求と共に、ユーザーの前記ユーザー識別情報および位置情報を取得する取得部と、
前記取得部により前記飲食情報要求を取得したとき、取得した前記ユーザー識別情報に基づいて前記顧客データベースから得られる前記運動情報と、取得した前記位置情報に基づいて前記位置データベースから得られる各店舗までの距離に応じた運動量と、を考慮し、前記メニューデータベースから前記飲食メニューを抽出する抽出部と、
抽出した前記飲食メニューと、当該飲食メニューを提供する店舗と、を示す飲食情報を出力する出力部と、を備えることを特徴とする飲食情報提供サーバー。
【請求項２】
前記運動情報を前記顧客データベースに記録する記録部を備えることを特徴とする請求項１に記載の飲食情報提供サーバー。
【請求項３】
請求項２に記載の前記飲食情報提供サーバーと、
前記運動情報を計測する運動情報計測部と、
前記位置情報を計測する位置情報計測部と、
前記飲食情報要求、前記ユーザー識別情報、前記運動情報計測部により計測された前記運動情報、および前記位置情報計測部により計測された前記位置情報を送信する送信部と、
前記飲食情報を表示する表示部と、を有するユーザー機器と、
を備え、
前記出力部は、前記ユーザー機器に対し前記飲食情報を送信することを特徴とする飲食情報提供システム。
【請求項４】
前記ユーザー機器は、
前記表示部に前記飲食情報として表示された１以上の前記飲食メニューの中からいずれかを指定するメニュー指定部と、
前記メニュー指定部により指定された前記飲食メニューおよび当該飲食メニューを提供する店舗、並びに予約者を示す予約情報を前記飲食情報提供サーバーに送信する予約部と、を有し、
前記飲食情報提供サーバーは、
送信された前記予約情報に基づいて、対象となる店舗に対し指定された前記飲食メニューおよび予約者を通知する予約通知部を有することを特徴とする請求項３に記載の飲食情報提供システム。
【請求項５】
請求項２に記載の前記飲食情報提供サーバーと、
前記飲食情報要求、前記ユーザー識別情報および前記位置情報を送信する送信部と、
前記飲食情報を印刷する印刷部と、を有する印刷装置と、
を備え、
前記出力部は、前記印刷装置に対し前記飲食情報を送信することを特徴とする飲食情報提供システム。
【請求項６】
前記印刷装置は、
前記運動情報を取得する取得部を有し、
前記印刷装置の送信部は、取得した前記運動情報を前記飲食情報提供サーバーに送信することを特徴とする請求項５に記載の飲食情報提供システム。
【請求項７】
請求項２に記載の前記飲食情報提供サーバーと、
前記運動情報を計測する運動情報計測部と、
前記運動情報計測部により計測された前記運動情報を送信する送信部と、を有するユーザー機器と、
前記飲食情報要求、前記ユーザー識別情報および前記位置情報を送信する送信部と、
前記飲食情報を印刷する印刷部と、を有する印刷装置と、
を備え、
前記出力部は、前記印刷装置に対し前記飲食情報を送信することを特徴とする飲食情報提供システム。
【請求項８】
前記ユーザー機器は、
各店舗までの移動手段を設定する設定部を備え、
前記抽出部は、前記移動手段を考慮して各店舗までの距離に応じた前記運動量を算出し、当該運動量を考慮して前記飲食メニューを抽出することを特徴とする請求項３または４に記載の飲食情報提供システム。
【請求項９】
前記運動情報は、ユーザーの心拍数の変化を示す情報であることを特徴とする請求項３ないし８のいずれか１項に記載の飲食情報提供システム。
【請求項１０】
請求項５ないし７のいずれか１項に記載の飲食情報提供システムに適用される印刷装置。
【請求項１１】
各ユーザーの運動量を示す運動情報をユーザー識別情報と関連付けて記憶した顧客データベースと、各店舗で提供可能な飲食メニューを記憶したメニューデータベースと、各店舗の位置を記憶した位置データベースと、を参照する参照ステップと、
飲食情報要求と共に、ユーザーの前記ユーザー識別情報および位置情報を取得する取得ステップと、
前記取得ステップにおいて前記飲食情報要求を取得したとき、取得した前記ユーザー識別情報に基づいて前記顧客データベースから得られる前記運動情報と、取得した前記位置情報に基づいて前記位置データベースから得られる各店舗までの距離に応じた運動量と、を考慮し、前記メニューデータベースから前記飲食メニューを抽出する抽出ステップと、
抽出した前記飲食メニューと、当該飲食メニューを提供する店舗と、を示す飲食情報を出力する出力ステップと、を実行することを特徴とする飲食情報提供サーバーの制御方法。
【発明の詳細な説明】
【技術分野】
【０００１】
本発明は、ユーザーに対して飲食情報を提供する飲食情報提供サーバー、飲食情報提供システム、印刷装置および飲食情報提供サーバーの制御方法に関する。
【背景技術】
【０００２】
従来、例えば特許文献１には、ユーザーの生体情報および運動情報を含む健康管理情報を蓄積しておき、当該健康管理情報に基づいてユーザーの食事メニューを生成し、これを提供する提供元情報をユーザーの携帯端末に供給する健康管理システムが開示されている。ここで、運動情報とは、ユーザーの歩数を指す。
【先行技術文献】
【特許文献】
【０００３】
【特許文献１】特開２００９−９３５０号公報
【発明の概要】
【発明が解決しようとする課題】
【０００４】
ところで、ユーザーが実際に特許文献１のシステムを利用しようとすると、ユーザーは供給された提供元情報に対応する店舗（飲食店）まで移動する必要がある。例えば店舗まで徒歩で移動したとすると、その間にも歩数が加算され運動量が増加する。ところが、特許文献１の技術では、その店舗までの移動に要する運動量が考慮されていないため、不要に食事メニューが制限される可能性がある。つまり本来であれば、店舗までの移動も含め、その日の運動量に見合ったカロリーを摂取可能であるにも関わらず、移動前までの消費カロリーを上限とした食事メニューしか生成されない不具合がある。
【０００５】
本発明は、上記の問題点に鑑み、ユーザーに対し、店舗までの移動に要する運動量も考慮した適切な飲食情報を提供可能な飲食情報提供サーバー、飲食情報提供システム、印刷装置および飲食情報提供サーバーの制御方法を実現することを目的とする。
【課題を解決するための手段】
【０００６】
本発明の飲食情報提供サーバーは、各ユーザーの運動量を示す運動情報をユーザー識別情報と関連付けて記憶した顧客データベースと、各店舗で提供可能な飲食メニューを記憶したメニューデータベースと、各店舗の位置を記憶した位置データベースと、を参照する参照部と、飲食情報要求と共に、ユーザーのユーザー識別情報および位置情報を取得する取得部と、取得部により飲食情報要求を取得したとき、取得したユーザー識別情報に基づいて顧客データベースから得られる運動情報と、取得した位置情報に基づいて位置データベースから得られる各店舗までの距離に応じた運動量と、を考慮し、メニューデータベースから飲食メニューを抽出する抽出部と、抽出した飲食メニューと、当該飲食メニューを提供する店舗と、を示す飲食情報を出力する出力部と、を備えることを特徴とする。
【０００７】
本発明の飲食情報提供サーバーの制御方法は、各ユーザーの運動量を示す運動情報をユーザー識別情報と関連付けて記憶した顧客データベースと、各店舗で提供可能な飲食メニューを記憶したメニューデータベースと、各店舗の位置を記憶した位置データベースと、を参照する参照ステップと、飲食情報要求と共に、ユーザーのユーザー識別情報および位置情報を取得する取得ステップと、取得ステップにおいて飲食情報要求を取得したとき、取得したユーザー識別情報に基づいて顧客データベースから得られる運動情報と、取得した位置情報に基づいて位置データベースから得られる各店舗までの距離に応じた運動量と、を考慮し、メニューデータベースから飲食メニューを抽出する抽出ステップと、抽出した飲食メニューと、当該飲食メニューを提供する店舗と、を示す飲食情報を出力する出力ステップと、を実行することを特徴とする。
【０００８】
本発明の構成によれば、ユーザーの運動量を示す運動情報と、ユーザーと各店舗までの距離に応じた運動量と、に基づいて、飲食メニューを抽出するため、ユーザーが店舗まで移動する際の運動量も考慮した適切な飲食情報を提供することができる。
【０００９】
上記の飲食情報提供サーバーにおいて、運動情報を顧客データベースに記録する記録部を備えることを特徴とする。
【００１０】
本発明の構成によれば、外部装置で入力または計測された運動情報を取得して、顧客データベースに記録することができる。
【００１１】
本発明の飲食情報提供システムは、上記の飲食情報提供サーバーと、運動情報を計測する運動情報計測部と、位置情報を計測する位置情報計測部と、飲食情報要求、ユーザー識別情報、運動情報計測部により計測された運動情報、および位置情報計測部により計測された位置情報を送信する送信部と、飲食情報を表示する表示部と、を有するユーザー機器と、を備え、出力部は、ユーザー機器に対し飲食情報を送信することを特徴とする。
【００１２】
本発明の構成によれば、ユーザー機器により運動情報を計測するため、飲食情報提供サーバーは、ユーザーの運動量を正確に把握し、より適切な飲食情報を提供することができる。また、ユーザー機器で位置情報を計測するため、飲食情報提供サーバーは、ユーザーの現在位置を正確に把握し、各店舗までの距離を正確に算出することができる。さらに、ユーザー機器に飲食情報を表示するため、ユーザーの居場所に関わらず飲食情報を提供できる。
【００１３】
上記の飲食情報提供システムにおいて、ユーザー機器は、表示部に飲食情報として表示された１以上の飲食メニューの中からいずれかを指定するメニュー指定部と、メニュー指定部により指定された飲食メニューおよび当該飲食メニューを提供する店舗、並びに予約者を示す予約情報を飲食情報提供サーバーに送信する予約部と、を有し、飲食情報提供サーバーは、送信された予約情報に基づいて、対象となる店舗に対し指定された飲食メニューおよび予約者を通知する予約通知部を有することを特徴とする。
【００１４】
本発明の構成によれば、ユーザー機器を用いて飲食メニューの指定および店舗への予約を行うことができるため、ユーザーの利便性がさらに向上する。
【００１５】
本発明の飲食情報提供システムは、上記の飲食情報提供サーバーと、飲食情報要求、ユーザー識別情報および位置情報を送信する送信部と、飲食情報を印刷する印刷部と、を有する印刷装置と、を備え、出力部は、印刷装置に対し飲食情報を送信することを特徴とする。
【００１６】
本発明の構成によれば、印刷装置により飲食情報を印刷するため、各ユーザーがユーザー機器を所有する必要がなく、本発明の飲食情報提供システムを、印刷装置と飲食情報提供サーバーとの簡易なシステム構成で実現できる。また、印刷装置の設置場所をユーザーの位置と看做すことができるため、位置情報の生成が容易である。
【００１７】
上記の飲食情報提供システムにおいて、印刷装置は、運動情報を取得する取得部を有し、印刷装置の送信部は、取得した運動情報を飲食情報提供サーバーに送信することを特徴とする。
【００１８】
本発明の構成によれば、印刷装置により運動情報の取得および飲食情報提供サーバーへの送信を行うため、ユーザー自身が運動情報を飲食情報提供サーバーにアップロードする手間を省くことができる。
【００１９】
本発明の飲食情報提供システムは、上記の飲食情報提供サーバーと、運動情報を計測する運動情報計測部と、運動情報計測部により計測された運動情報を送信する送信部と、を有するユーザー機器と、飲食情報要求、ユーザー識別情報および位置情報を送信する送信部と、飲食情報を印刷する印刷部と、を有する印刷装置と、を備え、出力部は、印刷装置に対し飲食情報を送信することを特徴とする。
【００２０】
本発明の構成によれば、ユーザー機器により運動情報を計測するため、飲食情報提供サーバーは、ユーザーの運動量を正確に把握し、より適切な飲食情報を提供することができる。また、印刷装置により飲食情報を印刷するため、ユーザー機器に表示機能を搭載する必要がなく、ユーザー機器の低廉化を図ることができる。
【００２１】
上記の飲食情報提供システムにおいて、ユーザー機器は、各店舗までの移動手段を設定する設定部を備え、抽出部は、移動手段を考慮して各店舗までの距離に応じた運動量を算出し、当該運動量を考慮して飲食メニューを抽出することを特徴とする。
【００２２】
本発明の構成によれば、各店舗までの移動手段を設定可能であるため、より正確な運動量を算出することができる。
なお、移動手段とは、徒歩、自転車、電車、バス、モータービークル（エンジン付き車両）、飛行機などを指す。
【００２３】
上記の飲食情報提供システムにおいて、運動情報は、ユーザーの心拍数の変化を示す情報であることを特徴とする。
【００２４】
本発明の構成によれば、ユーザーの心拍数を計測すれば良いため、運動情報の計測を容易且つ正確に行うことができる。
【００２５】
本発明の印刷装置は、上記の飲食情報提供システムに適用されることを特徴とする。
【００２６】
この印刷装置を用いることにより、ユーザーに対し、店舗までの移動に要する運動量も考慮した適切な飲食情報を提供可能な飲食情報提供システムを実現できる。
【図面の簡単な説明】
【００２７】
【図１】第１実施形態に係る飲食情報提供システムのシステム構成図である。
【図２】第１実施形態に係る運動管理機器および携帯端末の機能構成を示すブロック図である。
【図３】第１実施形態に係る管理サーバーの機能構成を示すブロック図である。
【図４】（ａ）は、顧客データベースの説明図であり、（ｂ）は、位置データベースの説明図である。
【図５】メニューデータベースの説明図である。
【図６】第１実施形態に係る飲食情報提供処理の流れを示すフローチャートである。
【図７】第２実施形態に係る飲食情報提供システムのシステム構成図である。
【図８】第２実施形態に係る運動管理機器およびＰＯＳプリンターの機能構成を示すブロック図である。
【図９】第２実施形態に係る管理サーバーの機能構成を示すブロック図である。
【図１０】第２実施形態に係る飲食情報提供処理の流れを示すフローチャートである。
【図１１】第３実施形態に係る飲食情報提供システムのシステム構成図である。
【図１２】第３実施形態に係るＰＯＳプリンターの機能構成を示すブロック図である。
【図１３】第３実施形態に係る運動管理機器および携帯端末の機能構成を示すブロック図である。
【図１４】第３実施形態に係る管理サーバーの機能構成を示すブロック図である。
【発明を実施するための形態】
【００２８】
以下、本発明の飲食情報提供サーバー、飲食情報提供システム、印刷装置および飲食情報提供サーバーの制御方法について、添付図面を参照しながら詳細に説明する。
【００２９】
［第１実施形態］
図１は、第１実施形態に係る飲食情報提供システムＳＹのシステム構成図である。本実施形態に係る飲食情報提供システムＳＹは、ユーザーが所有・保持する運動管理機器１および携帯端末２と、店舗に設置される店舗端末７と、インターネット等のネットワーク上に構築される管理サーバー５（飲食情報提供サーバー）と、を備える。なお、本発明のユーザー機器は、運動管理機器１および携帯端末２によって実現される。
【００３０】
運動管理機器１は、ユーザーの身体の一部に装着されるか、ユーザーがこれを所持することで、ユーザーの運動情報を計測する。本実施形態では、運動情報として、ユーザーの心拍数の変化を計測する。管理サーバー５は、この心拍数の計測結果からユーザーの運動量、すなわち消費カロリーを算出する。
【００３１】
携帯端末２は、運動管理機器１と通信可能に構成され、運動管理機器１と連携する専用アプリケーション２０がインストールされる。通信手段としては、近距離無線通信、赤外線通信などの非接触通信を用いることが好ましいが、有線通信を用いても良い。なお、携帯端末２としては、スマートフォンを含む各種タブレット端末、携帯電話、ノート型パソコンなどを用いる。
【００３２】
専用アプリケーション２０は、運動管理機器１から心拍数の計測結果を取得し、計測結果の記録・集計、記録・集計結果の表示、記録・集計結果の出力等を行う。また、専用アプリケーション２０は、管理サーバー５に対し、飲食情報を要求するための飲食情報要求を送信し、管理サーバー５から受信した飲食情報の表示、飲食情報に基づく店舗予約などを行う。なお、特に図示しないが、専用アプリケーション２０により表示される飲食情報とは、飲食メニューおよび当該飲食メニューを提供する店舗に関する事項を、文章や画像で表した情報である。
【００３３】
店舗端末７は、飲食メニューを予約可能な店舗に設置される端末であり、予約内容を表示するための表示画面を有している。店舗端末７としては、パソコン、携帯電話、各種タブレット端末等を用いる。
【００３４】
管理サーバー５は、飲食情報提供システムＳＹを統括管理するサーバーであり、複数の携帯端末２および店舗端末７と通信する（図１では、それぞれ１台のみ図示）。また、管理サーバー５は、ユーザーの運動情報を記録する顧客データベース６１と、各店舗の位置が記録された位置データベース６２と、各店舗で提供可能な飲食メニューが記録されたメニューデータベース６３と、を備える。そして、携帯端末２から飲食情報要求を取得すると、これらのデータベース６１，６２，６３に基づき、ユーザーの運動情報と、ユーザーの現在位置から各店舗までの距離に応じた運動量（消費カロリー）と、を考慮した飲食メニューを抽出して携帯端末２に提供する。つまり、運動情報に基づく飲食情報要求を行うまでの消費カロリーと、ユーザーが店舗に到着するまでの消費カロリーとの合計値を上限とした飲食メニューを、メニューデータベース６３の中から抽出し、抽出した飲食メニューと、当該飲食メニューを提供する店舗と、を示す飲食情報を携帯端末２に送信する。携帯端末２は、当該飲食情報として１以上の飲食メニューを表示し、ユーザーにより１以上の飲食メニューの中からいずれかの飲食メニューが指定されると、管理サーバー５に予約情報を送信する。管理サーバー５は、当該予約情報に基づいて、対応する店舗の店舗端末７に予約内容を通知する。なお、データベース６１，６２，６３は、管理サーバー５ではなく、管理サーバー５がアクセス可能な他のサーバーに設けても良い。
【００３５】
次に、図２を参照し、第１実施形態に係る運動管理機器１および携帯端末２の機能構成について説明する。運動管理機器１は、運動情報計測部１１およびＡ通信部１２を備える。
【００３６】
運動情報計測部１１は、ユーザーの運動量を示す運動情報を計測する。本実施形態では、運動情報として、ユーザーの心拍数の変化を計測する。Ａ通信部１２は、通信手段Ａ（通信規格Ａ）に基づいて管理サーバー５と通信を行う。通信手段Ａとしては、近距離無線通信や赤外線通信などを用いる。Ａ通信部２１は、携帯端末２に対し運動情報を送信する。なお、運動情報の送信は、定期的に行っても良いし、運動管理機器１または携帯端末２において所定の操作が行われた時でも良い。
【００３７】
一方、携帯端末２は、Ａ通信部２１、運動情報取得部２２、位置情報計測部２３、Ｂ通信部２４（送信部，予約部）、表示部２５およびメニュー指定部２６を備える。なお、表示部２５およびメニュー指定部２６は、主に専用アプリケーション２０によって実現される機能である。
【００３８】
Ａ通信部２１は、通信手段Ａに基づいて運動管理機器１と通信を行う。運動情報取得部２２は、運動管理機器１からＡ通信部２１を介して運動情報を取得する。位置情報計測部２３は、不図示のＧＰＳ（Global  Positioning  System）受信機を用いて、携帯端末２の現在位置を示す位置情報を計測する。
【００３９】
Ｂ通信部２４は、通信手段Ｂに基づいて携帯端末２と通信を行う。通信手段Ｂとしては、無線／有線ＬＡＮ通信、電話回線、衛星回線、インターネット回線などを用いる。Ｂ通信部２４は、ユーザーにより飲食情報要求操作が行われた場合、管理サーバー５に対し、飲食情報要求と共に、携帯端末２を所有するユーザーのユーザー識別情報、運動管理機器１から取得した運動情報、位置情報計測部２３により計測された位置情報を送信する。なお、ユーザー識別情報は、専用アプリケーション２０を用いてユーザーが入力した情報、専用アプリケーション２０によって自動設定された情報、または携帯端末２の識別情報を用いる。また、運動情報は、専用アプリケーション２０に設定された時間内における運動情報計測部１１の計測結果（ユーザーの心拍数の変化）を送信する。なお、時間の設定は、朝６：００から夕方６：００までといったように計測開始時刻と計測終了時刻を設定しても良いし、朝６：００から飲食情報要求を行うまでといったように計測開始時刻のみを設定しても良い。また、時間設定を行うのではなく、前回の飲食情報要求から今回の飲食情報要求までの心拍数の変化を送信しても良い。
【００４０】
一方、Ｂ通信部２４は、飲食情報要求に対して管理サーバー５から飲食情報を受信すると共に、ユーザーにより予約操作（メニュー指定部２６による飲食メニューの指定操作）が行われた場合、管理サーバー５に予約情報を送信する。表示部２５は、管理サーバー５から受信した飲食情報を、不図示の表示画面に表示する。
【００４１】
メニュー指定部２６は、表示部２５に飲食情報として表示された１以上の飲食メニューの中からいずれかを指定する。飲食メニューの指定には、タッチパネルやポインティングデバイス等の操作手段を用いる。Ｂ通信部２４は、ユーザーにより飲食メニューの指定操作が行われると、メニュー指定部２６により指定された飲食メニューおよび当該飲食メニューを提供する店舗、並びに予約者（ユーザー識別情報であっても良い）を示す予約情報を管理サーバー５に送信する。
【００４２】
次に、図３を参照し、第１実施形態に係る管理サーバー５の機能構成について説明する。管理サーバー５は、Ｂ通信部５１、取得部５２、記録部５３、参照部５４、抽出部５５、出力部５６、予約通知部５７およびＣ通信部５８を備える。
【００４３】
Ｂ通信部５１は、通信手段Ｂに基づいて携帯端末２と通信を行う。取得部５２は、Ｂ通信部５１を介して飲食情報要求、ユーザー識別情報、運動情報および位置情報を取得する。記録部５３は、取得した運動情報を顧客データベース６１に記録する。
【００４４】
参照部５４は、飲食情報要求等の取得に伴い、顧客データベース６１、位置データベース６２およびメニューデータベース６３を参照する。抽出部５５は、取得したユーザー識別情報に基づいて顧客データベース６１から得られる運動情報と、取得した位置情報に基づいて位置データベース６２から得られる各店舗までの距離に応じた運動量と、を考慮し、メニューデータベース６３から、ユーザーに推奨すべき１以上の飲食メニューを抽出する。ここで、運動情報は、記録部５３によって顧客データベース６１に記録した情報を指す。つまり本実施形態では、飲食情報要求と共に取得した運動情報を考慮して飲食メニューを抽出する。
【００４５】
出力部５６は、抽出部５５により抽出された飲食メニューと、当該飲食メニューを提供する店舗と、を示す飲食情報を、飲食情報要求の送信元となる携帯端末２に対し、Ｂ通信部５１を介して送信する。
【００４６】
予約通知部５７は、携帯端末２から送信された予約情報に基づいて、対象となる店舗の店舗端末７に対し、指定された飲食メニューおよび予約者を示す予約内容を通知する。Ｃ通信部５８は、通信手段Ｃに基づいて店舗端末７と通信を行う。通信手段Ｃとしては、無線／有線ＬＡＮ通信、電話回線、衛星回線、インターネット回線などを用いる。Ｃ通信部５８は、予約通知部５７により通知された予約内容を店舗端末７に送信する。
【００４７】
ここで、図４および図５を参照し、顧客データベース６１、位置データベース６２およびメニューデータベース６３について説明する。図４（ａ）に示すように、顧客データベース６１は、ユーザー別に、ユーザー識別情報と、運動情報と、消費カロリーとを関連付けて記憶する。ここで消費カロリーは、運動情報に基づいて算出される値である。つまり記録部５３は、運動情報の取得に伴い、設定された時間内に計測された心拍数の変化から、その設定された時間内に消費したと考えられる消費カロリーを算出して顧客データベース６１に記録する。なお、本実施形態において管理サーバー５は、携帯端末２に飲食情報を送信した後、顧客データベース６１に記録された情報を消去する。
【００４８】
図４（ｂ）は、位置データベース６２の説明図である。位置データベース６２は、店舗別に、店舗識別情報と、マップコード（各店舗の位置）とを関連付けて記憶する。なお、マップコードに代えて、緯度および経度、郵便番号等を記憶しても良い。
【００４９】
図５は、メニューデータベース６３の説明図である。メニューデータベース６３は、飲食メニューごとに、カロリーと、店舗識別情報とを関連付けて記憶する。ここで店舗識別情報は、対応する飲食メニューを提供する店舗の識別情報を指す。同図の例では、例えば「メニューＡＡ１」を摂取した場合の摂取カロリーが「３００kcal」であり、「メニューＡＡ１」を提供する店舗の店舗識別情報が「Ａ００１」であることを意味している。
【００５０】
例えば、図３および図４に示した情報が各データベース６１，６２，６３に記憶されている場合であって、ユーザー識別情報「０００１」のユーザーの現在位置から店舗識別情報「Ａ００１」，店舗識別情報「Ｂ００１」の店舗までの徒歩に要する消費カロリーがそれぞれ「１００kcal」である場合、そのユーザーが店舗に到着するまでの総消費カロリーは「６００kcal」であるため、抽出部５５は、「６００kcal」以下の飲食メニューである「メニューＡＡ１」、「メニューＡＡ２」および「メニューＢＢ１」をメニューデータベース６３から抽出する。
【００５１】
次に、図６のフローチャートを参照し、第１実施形態に係る飲食情報提供処理の流れを説明する。まず、携帯端末２は、ユーザーによって飲食情報を要求するための操作が行われると（Ｓ０１）、飲食情報要求、ユーザー識別情報、運動情報および位置情報を管理サーバー５に送信する（Ｓ０２）。管理サーバー５は、これらの情報を受信すると、顧客データベース６１、位置データベース６２およびメニューデータベース６３を参照し、参照結果に基づいてメニューデータベース６３から飲食メニューを抽出する（Ｓ０３）。また、管理サーバー５は、抽出した当該飲食メニューおよびそれを提供する店舗に関する情報を含む飲食情報を携帯端末２に送信する（Ｓ０４）。携帯端末２は、当該飲食情報を受信し、表示画面に表示する（Ｓ０５）。
【００５２】
ユーザーが飲食情報を確認し、その中から所望の飲食メニューを指定すると（Ｓ０６）、携帯端末２は、指定された飲食メニュー、それを提供する店舗および予約者に関する情報を含む予約情報を管理サーバー５に送信する（Ｓ０７）。管理サーバー５は、当該予約情報を受信すると、対象となる店舗の店舗端末７に対し、飲食メニューおよび予約者に関する情報を含む予約内容を通知する（Ｓ０８）。店舗端末７は、当該予約内容を受信し、表示画面に表示する（Ｓ０９）。
【００５３】
以上説明したとおり、第１実施形態によれば、ユーザーの運動量を示す運動情報と、ユーザーと各店舗までの距離に応じた運動量と、に基づいて、ユーザーに推奨すべき飲食メニューを抽出し、当該飲食メニューを提供する店舗の情報と共に送信するため、ユーザーが店舗まで移動する際の運動量も考慮した適切な飲食情報を提供することができる。
【００５４】
また、携帯端末２で位置情報を計測するため、管理サーバー５は、ユーザーの現在位置を正確に把握し、各店舗までの距離を正確に算出することができる。また、携帯端末２に飲食情報を表示するため、ユーザーの居場所に関わらず飲食情報を提供できる。また、携帯端末２を用いて飲食メニューの指定および店舗への予約を行うことができるため、ユーザーにとって利便性が良い。
【００５５】
［第１実施形態変形例］
上記の実施形態では、運動管理機器１および携帯端末２によってユーザー機器を実現したが、運動管理機器１のみでユーザー機器を実現しても良い。つまり、図２に示した機能のうちＡ通信部１２，２１以外の機能を運動管理機器１に備えても良い。また、携帯端末２に運動情報計測部１１を備え、携帯端末２のみでユーザー機器を実現しても良い。
【００５６】
また、運動情報は、飲食情報要求と共に携帯端末２から管理サーバー５に送信するものとしたが、必ずしも飲食情報要求と同時に送信しなくても良い。また、運動情報を複数回に分けて（例えば、１時間ごとに送信するなど）管理サーバー５に送信し、管理サーバー５がその都度顧客データベース６１に記録する構成としても良い。また、運動管理機器１により運動情報を計測するのではなく、各ユーザーが所定のＷｅｂサイトにアクセスするか所定のアプリケーションを利用して、ユーザー識別情報と共に登録可能としても良い。
【００５７】
［第２実施形態］
次に、図７〜図１０を参照し、本発明の第２実施形態について説明する。上記の第１実施形態では、管理サーバー５から携帯端末２に対して飲食情報を送信したが、本実施形態では、ＰＯＳプリンター４に対して飲食情報を送信する。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５８】
図７は、第２実施形態に係る飲食情報提供システムＳＹのシステム構成図である。本実施形態に係る飲食情報提供システムＳＹは、ユーザーが所有・保持する運動管理機器１と、スポーツクラブ等の運動関連施設（以下、単に「施設」と称する）に設置されるＰＯＳ端末３およびＰＯＳプリンター４（印刷装置）と、インターネット等のネットワーク上に構築される管理サーバー５（飲食情報提供サーバー）と、を備える。また、本実施形態の運動管理機器１は、ＰＯＳプリンター４と通信可能に構成される。
【００５９】
ＰＯＳ端末３は、ユーザーによる施設利用料の支払い、または飲食物やトレーニング用品の購入に際して会計処理を行う。また、ＰＯＳ端末３は、会計処理結果を印刷するための会計情報（印刷データ）の生成を行う。ＰＯＳプリンター４は、ＰＯＳ端末３から出力された会計情報をレシート用紙に印刷する。また、本実施形態のＰＯＳプリンター４は、ユーザーの会計時に運動管理機器１と通信し、運動情報を取得する。また、ＰＯＳプリンター４は、管理サーバー５とネットワーク通信を行う通信機能を有しており、飲食情報要求と共に、ユーザー識別情報、取得した運動情報およびＰＯＳプリンター４内に設定された位置情報を管理サーバー５に送信する。また、管理サーバー５から飲食情報が送信されると、会計情報と共に当該飲食情報を会計レシートＲ（図８参照）に印刷する。
【００６０】
図８は、第２実施形態に係る運動管理機器１およびＰＯＳプリンター４の機能構成を示すブロック図である。運動管理機器１は、運動情報計測部１１の他、運動情報を送信するためのＤ通信部１３を備える。Ｄ通信部１３は、通信手段Ｄに基づいてＰＯＳプリンター４と通信を行う。通信手段Ｄとしては、近距離無線通信や赤外線通信などを用いる。
【００６１】
ＰＯＳプリンター４は、Ｄ通信部４１、運動情報取得部４２、会計情報取得部４３、Ｅ通信部４４および印刷部４５を備える。
【００６２】
Ｄ通信部４１は、通信手段Ｄに基づいて運動管理機器１と通信を行う。運動情報取得部４２は、運動管理機器１からＤ通信部４１を介して運動情報を取得する。本実施形態において運動情報は、後述する会計情報の取得をトリガーとして取得する。会計情報取得部４３は、ＰＯＳ端末３の会計処理時に、ＰＯＳ端末３からユーザー識別情報および会計情報を取得する。なお、ユーザー識別情報は、会計情報と共に取得するのではなく、ＰＯＳプリンター４にリーダー等を接続し、ユーザーの会員カード等を読み取ることによって取得しても良いし、運動情報取得部４２により運動情報と共に取得しても良い。
【００６３】
Ｅ通信部４４は、通信手段Ｅに基づいて管理サーバー５と通信を行う。通信手段Ｅとしては、無線／有線ＬＡＮ通信、インターネット回線などを用いる。Ｅ通信部４４は、飲食情報要求と共に、運動情報取得部４２により取得した運動情報、会計情報取得部４３により取得したユーザー識別情報、ＰＯＳプリンター４内の所定の記憶領域に記憶されている位置情報（ＰＯＳプリンター４が設置されている施設の位置を示す情報）を管理サーバー５に送信する。また、Ｅ通信部４４は、管理サーバー５から飲食情報を受信する。印刷部４５は、会計情報取得部４３により取得した会計情報と、管理サーバー５からＥ通信部４４を介して取得した飲食情報と、を含む会計レシートＲを印刷する。
【００６４】
同図に示すように、会計レシートＲには、会計情報（店舗名、日付、飲食メニュー名、単価、合計金額等）、飲食情報の順に印刷される。なお、レシート用紙の会計情報と飲食情報の間を切断（フルカットまたはハーフカット）しても良い。また、印刷部４５は、運動情報取得部４２により運動管理機器１から運動情報を取得できない場合や会計情報取得部４３によりユーザー識別情報を取得できない場合は、管理サーバー５から飲食情報が送信されないため、会計情報のみを含む会計レシートＲを発行する。
【００６５】
図９は、第２実施形態に係る管理サーバー５の機能構成を示すブロック図である。本実施形態に係る管理サーバー５は、第１実施形態の構成（図３参照）に、Ｅ通信部６５を追加し、Ｂ通信部５１、予約通知部５７およびＣ通信部５８を省略した構成である。Ｅ通信部６５は、通信手段Ｅに基づいてＰＯＳプリンター４と通信する。本実施形態の取得部５２は、Ｅ通信部６５を介して飲食情報要求、ユーザー識別情報、運動情報および位置情報を取得する。また、本実施形態の出力部５６は、抽出部５５により抽出された飲食情報を、Ｅ通信部６５を介してＰＯＳプリンター４に出力する。
【００６６】
図１０は、第２実施形態に係る飲食情報提供処理の流れを示すフローチャートである。まず、ＰＯＳプリンター４がＰＯＳ端末３から会計情報を取得すると（Ｓ１１）、運動管理機器１と通信を行い、運動情報を取得する（Ｓ１２）。運動情報を正常に取得できた場合は、飲食情報要求、ユーザー識別情報、運動情報および位置情報を管理サーバー５に送信する（Ｓ１３）。管理サーバー５は、顧客データベース６１、位置データベース６２およびメニューデータベース６３を参照し、メニューデータベース６３からユーザーに推奨すべき飲食メニューを抽出する（Ｓ１４）。また、管理サーバー５は、抽出した当該飲食メニューおよびそれを提供する店舗に関する情報を含む飲食情報をＰＯＳプリンター４に送信する（Ｓ１５）。ＰＯＳプリンター４は、当該飲食情報を受信し、ＰＯＳ端末３から取得した会計情報と共に印刷する（Ｓ１６）。
【００６７】
以上説明したとおり、第２実施形態によれば、ＰＯＳプリンター４により飲食情報を印刷するため、各ユーザーが携帯端末２を所有する必要がなく、本発明の飲食情報提供システムＳＹの主要部を、ＰＯＳプリンター４と管理サーバー５との簡易なシステム構成で実現できる。また、ＰＯＳプリンター４の設置場所をユーザーの位置と看做すことができるため、位置情報の生成が容易である。また、ＰＯＳプリンター４により運動情報を取得し、これを管理サーバー５に送信するため、ユーザー自身が運動情報を管理サーバー５にアップロードする手間を省くことができる。
【００６８】
［第２実施形態変形例］
上記の実施形態では、会計処理を条件として飲食情報を提供した（会計レシートＲを発行した）が、買い物をしなくても、ユーザーが施設スタッフに飲食情報要求を依頼し、ユーザー識別情報および運動情報をＰＯＳプリンター４に入力または読み取らせることで、飲食情報が印刷されたレシートを入手できる構成としても良い。また、ＰＯＳプリンター４ではなく、キオスク端末を用いてレシートを入手可能としても良い。
【００６９】
［第３実施形態］
次に、図１１〜図１４を参照し、本発明の第３実施形態について説明する。本実施形態は、上記の第１実施形態と第２実施形態を組み合わせた構成である。以下、第１実施形態または第２実施形態と異なる点のみ説明する。なお、本実施形態においても、上記の各実施形態と同様の構成部分については同様の符号を付し、詳細な説明を省略する。また、上記の各実施形態と同様の構成部分について適用される変形例は、本実施形態についても同様に適用される。
【００７０】
図１１は、第３実施形態に係る飲食情報提供システムＳＹのシステム構成図である。本実施形態に係る飲食情報提供システムＳＹは、ユーザーが所有・保持する運動管理機器１および携帯端末２と、スポーツクラブ等の施設に設置されるＰＯＳ端末３およびＰＯＳプリンター４（印刷装置）と、店舗に設置される店舗端末７と、インターネット等のネットワーク上に構築される管理サーバー５（飲食情報提供サーバー）と、を備える。本実施形態に係る管理サーバー５は、ＰＯＳプリンター４に飲食情報を送信する。また、本発明のユーザー機器は、運動管理機器１および携帯端末２によって実現される。
【００７１】
図１２は、第３実施形態に係るＰＯＳプリンター４の機能構成を示すブロック図である。本実施形態のＰＯＳプリンター４は、第２実施形態の構成（図８参照）から、Ｄ通信部４１および運動情報取得部４２を省略した構成である。本実施形態において運動情報は、携帯端末２から管理サーバー５に送信される。また、本実施形態の印刷部４５は、会計情報および飲食情報を含む会計レシートＲを発行するが、飲食情報として、飲食メニューおよび店舗に関する事項を文章や画像で示した情報以外に、飲食情報を閲覧するための（携帯端末２に表示させるための）二次元コード８０を印刷する。
【００７２】
図１３は、第３実施形態に係る運動管理機器１および携帯端末２の機能構成を示すブロック図である。本実施形態の携帯端末２は、第１実施形態の構成（図２参照）に、コード画像読み取り部２７を追加し、位置情報計測部２３を省略した構成である。コード画像読み取り部２７は、会計レシートＲに印刷された二次元コード８０を読み取る。また、本実施形態の表示部２５は、二次元コード８０に記録されたＵＲＬ（Uniform  Resource  Locator）にアクセスすることによって得られた飲食情報または二次元コード８０に記録された飲食情報を表示する。当該飲食情報は、メニュー指定部２６により指定を行うために表示される。メニュー指定部２６は、飲食情報として表示された１以上の飲食メニューの中から所望の飲食メニューを指定することで、店舗予約を行う。
【００７３】
図１４は、第３実施形態に係る管理サーバー５の機能構成を示すブロック図である。本実施形態の管理サーバー５は、第１実施形態の構成（図３参照）に、運動情報取得部６６、Ｅ通信部６５および飲食情報要求取得部６７を追加し、取得部５２を省略した構成である。運動情報取得部６６は、携帯端末２からＢ通信部５１を介して運動情報を取得する。運動情報は、携帯端末２から任意のタイミングで送信され、記録部５３は運動情報を取得するたびに顧客データベース６１に記録する。また、飲食情報要求取得部６７は、Ｅ通信部６５を介して飲食情報要求、ユーザー識別情報および位置情報を取得する。また、本実施形態の出力部５６は、抽出部５５により抽出された飲食情報を、Ｅ通信部６５を介してＰＯＳプリンター４に出力する。
【００７４】
なお、本実施形態に係る飲食情報提供処理は、第２実施形態のＳ１１〜Ｓ１６（図１０参照）の後、携帯端末２が、会計レシートＲに印刷された二次元コード８０を読み取って、表示画面上に飲食情報を表示する。その後、第１実施形態のＳ０６〜Ｓ０９（図６参照）を実行する流れとなる。
【００７５】
以上説明したとおり、第３実施形態によれば、携帯端末２から管理サーバー５に運動情報をアップロードするため、会計処理時に携帯端末２とＰＯＳプリンター４を通信させる手間を省くことができる。また、ＰＯＳプリンター４により飲食情報を印刷するため、会計処理時に携帯端末２を所持しないユーザーに対しても飲食情報を提供できる。さらに、携帯端末２によって、飲食情報として印刷された二次元コード８０を読み取ることで、店舗予約を行うことができる。
【００７６】
［第１実施形態〜第３実施形態に共通する変形例］
以上、３つの実施形態を示したが、以下の変形例を採用しても良い。例えば、上記の各実施形態では、店舗まで徒歩で移動することを前提として各店舗までの距離に応じた運動量を算出したが、店舗までの移動手段を設定可能としても良い。この場合、第１実施形態では、移動手段を設定する設定部を携帯端末２内に設け、第２実施形態および第３実施形態では、ＰＯＳプリンター４内に設けることが考えられる。また、設定部により設定された移動手段を示す情報を、飲食情報要求と共に管理サーバー５に送信する。そして、管理サーバー５の抽出部５５は、送信された移動手段を考慮して各店舗までの距離に応じた運動量（消費カロリー）を算出し、当該運動量を考慮して飲食メニューを抽出する。なお、移動手段とは、徒歩、自転車、電車、バス、モータービークル（エンジン付き車両）、飛行機などを指す。例えば、同じ店舗まで移動する場合でも、移動手段が徒歩の場合より自転車やモータービークルなどの方が運動量は少なくなるはずである。したがって、これらの移動手段を考慮して運動量を算出することで、より適切な飲食メニューを抽出することができる。
【００７７】
また、上記の設定部において、メニューカテゴリ（洋食、和食、中華など）や食の嗜好情報、アレルギー情報などを設定可能としても良い。この場合、抽出部５５は、送信されたメニューカテゴリの中から飲食メニューを抽出したり、嗜好情報やアレルギー情報を考慮して飲食メニューを抽出したりすれば良い。
【００７８】
また、抽出部５５により、各店舗の混雑度を考慮して飲食メニューを抽出しても良い。この場合、メニュー候補の中から混雑度の高い店舗の飲食メニューを除いた上で飲食メニューを抽出すれば良い。
【００７９】
また、抽出部５５により、ユーザーが過去に予約した飲食メニューを考慮して新たな飲食メニューを抽出しても良い。例えば、過去に予約した飲食メニューからユーザーの好みを推察して飲食メニューを抽出する、過去に予約した飲食メニューの栄養価を算出し、栄養バランスを考慮して飲食メニューを抽出する、などが考えられる。
【００８０】
また、顧客データベース６１に、各ユーザーの健康管理情報（病歴、食材制限に関する情報、普段の運動量など）を登録しておき、抽出部５５により、当該健康管理情報を考慮して飲食情報を提供しても良い。また、運動管理機器１または別途用意される健康機器によりユーザーの生体情報（血圧、体温、血糖値など）計測し、それらの生体情報を健康管理情報の一部として用いても良い。
【００８１】
また、管理サーバー５は、飲食情報の一部として、「あと○○カロリー消費すれば、飲食メニュー「○○」を選択できます」など、アドバイス情報を提供しても良い。また、その際、アドバイス情報の一部として推奨する運動内容（ウォーキング、ランニング、腕立て伏せ、腹筋等）とその運動量を提供しても良い。
【００８２】
また、上記の実施形態では、運動情報として、ユーザーの心拍数の変化を計測したが、ユーザーの歩数、歩行／走行距離、トレーニング量（腕立て回数、腹筋回数等）を計測しても良い。
【００８３】
また、上記に示した飲食情報提供システムＳＹの各構成要素をプログラムとして提供することが可能である。また、そのプログラムを各種記録媒体（ＣＤ−ＲＯＭ、フラッシュメモリー等）に格納して提供することも可能である。すなわち、コンピューターを飲食情報提供システムＳＹの各構成要素として機能させるためのプログラム、およびそれを記録した記録媒体も、本発明の権利範囲に含まれる。その他、本発明の要旨を逸脱しない範囲で、適宜変更が可能である。
【符号の説明】
【００８４】
１：運動管理機器  ２：携帯端末  ３：ＰＯＳ端末  ４：ＰＯＳプリンター  ５：管理サーバー  ７：店舗端末  ６１：顧客データベース  ６２：位置データベース  ６３：メニューデータベース  ８０：二次元コード  Ｒ：会計レシート  ＳＹ：飲食情報提供システム
【図１】
2016143383.tif 000003
【図２】
2016143383.tif 000004
【図３】
2016143383.tif 000005
【図４】
2016143383.tif 000006
【図５】
2016143383.tif 000007
【図６】
2016143383.tif 000008
【図７】
2016143383.tif 000009
【図８】
2016143383.tif 000010
【図９】
2016143383.tif 000011
【図１０】
2016143383.tif 000012
【図１１】
2016143383.tif 000013
【図１２】
2016143383.tif 000014
【図１３】
2016143383.tif 000015
【図１４】
2016143383.tif 000016